【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
ビデオ情報を復号するための装置であって、
複数のレイヤに関連付けられたビデオ情報を記憶するためのメモリユニットと、
前記メモリユニットに動作可能に結合されたプロセッサと、
を備え、前記プロセッサは、
復号されるべき現在アクセスユニット（ＡＵ）に関連付けられた情報を取得し、前記現在ＡＵが前記複数のレイヤのうちの１つまたは複数のレイヤからの複数のピクチャを含み、
前記現在ＡＵが、イントラランダムアクセスポイント（ＩＲＡＰ）ピクチャを含んでいる第１のレイヤを含むかどうかを決定し、
前記現在ＡＵが、ピクチャを含んでいないかまたは廃棄可能なピクチャを含んでいる第２のレイヤを含むかどうかを決定し、
前記現在ＡＵが、（１）ＩＲＡＰピクチャを含んでいる第１のレイヤと、（２）ピクチャを含んでいないかまたは廃棄可能なピクチャを含んでいる第２のレイヤとを含むと決定したことに応答して、
前記現在ＡＵの前記第１のレイヤにおけるピクチャ順序カウント（ＰＯＣ）をリセットし、
復号順序において前記現在ＡＵの後にあるＡＵの前記第２のレイヤにおいて、前記現在ＡＵの前記ＰＯＣの前記リセットを示すように第１のシンタックス要素の値を設定する、
ように構成された、装置。
【請求項２】
ビデオ情報を符号化するための装置であって、
複数のレイヤに関連付けられたビデオ情報を記憶するためのメモリユニットと、
前記メモリユニットに動作可能に結合されたプロセッサと、
を備え、前記プロセッサは、
符号化されるべき現在アクセスユニット（ＡＵ）に関連付けられた情報を取得し、前記現在ＡＵが前記複数のレイヤのうちの１つまたは複数のレイヤからの複数のピクチャを含み、
前記現在ＡＵが、イントラランダムアクセスポイント（ＩＲＡＰ）ピクチャを含んでいる第１のレイヤを含むかどうかを決定し、
前記現在ＡＵが、ピクチャを含んでいないかまたは廃棄可能なピクチャを含んでいる第２のレイヤを含むかどうかを決定し、
前記現在ＡＵが、（１）ＩＲＡＰピクチャを含んでいる第１のレイヤと、（２）ピクチャを含んでいないかまたは廃棄可能なピクチャを含んでいる第２のレイヤとを含むと決定したことに応答して、
前記現在ＡＵの前記第１のレイヤにおけるピクチャ順序カウント（ＰＯＣ）をリセットし、
復号順序において前記現在ＡＵの後にあるＡＵの前記第２のレイヤにおいて、前記現在ＡＵの前記ＰＯＣの前記リセットを示すように第１のシンタックス要素の値を設定する、
ように構成された、装置。
【請求項３】
前記第１のシンタックス要素がｐｏｃ＿ｒｅｓｅｔ＿ｉｄｃである、請求項１または請求項２に記載の装置。
【請求項４】
前記プロセッサは、復号順序において前記現在ＡＵの後の１つまたは複数のＡＵについて、前記ＰＯＣが前のＡＵにおいてリセットされたことを示すように前記第１のシンタックス要素の前記値を設定するように構成され、前記１つまたは複数の後のＡＵが、前記第２のレイヤと同じレイヤＩＤを有する第１のピクチャを含んでいる第１のＡＵで開始し、前記第２のレイヤと前記同じレイヤＩＤを有する第２のピクチャを含んでいる、復号順序において前記第１のＡＵの後の第２のＡＵで終了し、ここにおいて、
前記第２のピクチャが、０に等しい時間ＩＤを有し、
前記第２のピクチャが廃棄可能なピクチャでなく、
前記第２のピクチャがランダムアクセススキップリーディング（ＲＡＳＬ）ピクチャでないか、ランダムアクセス復号可能リーディング（ＲＡＤＬ）ピクチャでないか、または前記第２のレイヤのサブレイヤ非参照ピクチャ（ＳＬＮＲ）でない、
請求項１または請求項２に記載の装置。
【請求項５】
前記第１のレイヤがベースレイヤである、請求項１または請求項２に記載の装置。
【請求項６】
前記第１のレイヤがエンハンスメントレイヤであり、前記ＩＲＡＰピクチャが瞬時復号リフレッシュ（ＩＤＲ）ピクチャである、請求項１または請求項２に記載の装置。
【請求項７】
前記装置はワイヤレス通信デバイスであり、
少なくとも１つの無線アクセス技術（ＲＡＴ）に従ってビデオデータを受信するように構成された受信機、ここで、前記ビデオデータが、前記複数のレイヤに関連付けられた前記ビデオ情報を備える、と、
前記少なくとも１つのＲＡＴに従って動作するように構成された送信機と、
をさらに備える、請求項１または請求項２に記載の装置。
【請求項８】
前記ワイヤレス通信デバイスがセルラー電話であり、前記受信されたビデオデータが前記受信機によって受信され、セルラー通信規格に従って変調される、請求項７に記載の装置。
【請求項９】
ビデオ情報を復号する方法であって、
複数のレイヤに関連付けられたビデオ情報を記憶することと、
復号されるべき現在アクセスユニット（ＡＵ）に関連付けられた情報を取得すること、ここで、前記現在ＡＵが前記複数のレイヤのうちの１つまたは複数のレイヤからの複数のピクチャを含んでいる、と、
前記現在ＡＵが、イントラランダムアクセスポイント（ＩＲＡＰ）ピクチャを含んでいる第１のレイヤを含むかどうかを決定することと、
前記現在ＡＵが、ピクチャを含んでいないかまたは廃棄可能なピクチャを含んでいる第２のレイヤを含むかどうかを決定することと、
前記現在ＡＵが、（１）ＩＲＡＰピクチャを含む第１のレイヤと、（２）ピクチャを含んでいないかまたは廃棄可能なピクチャを含んでいる第２のレイヤとを含むと決定したことに応答して、
前記現在ＡＵの前記第１のレイヤにおけるピクチャ順序カウント（ＰＯＣ）をリセットすることと、
復号順序において前記現在ＡＵの後にあるＡＵの前記第２のレイヤにおいて、前記現在ＡＵの前記ＰＯＣの前記リセットを示すように第１のシンタックス要素の値を設定することと、
を備える、方法。
【請求項１０】
ビデオ情報を符号化する方法であって、
複数のレイヤに関連付けられたビデオ情報を記憶することと、
符号化されるべき現在アクセスユニット（ＡＵ）に関連付けられた情報を取得すること、ここで、前記現在ＡＵが前記複数のレイヤのうちの１つまたは複数のレイヤからの複数のピクチャを含んでいる、と、
前記現在ＡＵが、イントラランダムアクセスポイント（ＩＲＡＰ）ピクチャを含んでいる第１のレイヤを含むかどうかを決定することと、
前記現在ＡＵが、ピクチャを含んでいないかまたは廃棄可能なピクチャを含んでいる第２のレイヤを含むかどうかを決定することと、
前記現在ＡＵが、（１）ＩＲＡＰピクチャを含む第１のレイヤと、（２）ピクチャを含んでいないかまたは廃棄可能なピクチャを含んでいる第２のレイヤとを含むと決定したことに応答して、
前記現在ＡＵの前記第１のレイヤにおけるピクチャ順序カウント（ＰＯＣ）をリセットすることと、
復号順序において前記現在ＡＵの後にあるＡＵの前記第２のレイヤにおいて、前記現在ＡＵの前記ＰＯＣの前記リセットを示すように第１のシンタックス要素の値を設定することと、
を備える、方法。
【請求項１１】
前記第１のシンタックス要素がｐｏｃ＿ｒｅｓｅｔ＿ｉｄｃである、請求項９または請求項１０に記載の方法。
【請求項１２】
前記第１のシンタックス要素の前記値は、復号順序において前記現在ＡＵの後の１つまたは複数のＡＵについて、前記ＰＯＣが前のＡＵにおいてリセットされたことを示すように設定され、ここで、前記１つまたは複数の後のＡＵが、前記第２のレイヤと同じレイヤＩＤを有する第１のピクチャを含んでいる第１のＡＵで開始し、前記第２のレイヤと前記同じレイヤＩＤを有する第２のピクチャを含んでいる、復号順序において前記第１のＡＵの後の第２のＡＵで終了し、ここにおいて、
前記第２のピクチャが、０に等しい時間ＩＤを有し、
前記第２のピクチャが廃棄可能なピクチャでなく、
前記第２のピクチャがランダムアクセススキップリーディング（ＲＡＳＬ）ピクチャでないか、ランダムアクセス復号可能リーディング（ＲＡＤＬ）ピクチャでないか、または前記第２のレイヤのサブレイヤ非参照ピクチャ（ＳＬＮＲ）でない、
請求項９または請求項１０に記載の方法。
【請求項１３】
前記第１のレイヤがベースレイヤである、請求項９または請求項１０に記載の方法。
【請求項１４】
前記第１のレイヤがエンハンスメントレイヤであり、前記ＩＲＡＰピクチャが瞬時復号リフレッシュ（ＩＤＲ）ピクチャである、請求項９または請求項１０に記載の方法。
【請求項１５】
プロセッサ上で実行されたとき、前記プロセッサに、請求項９〜請求項１４のうちのいずれか一項に記載の方法を実行させる命令を備える、非一時的コンピュータ可読媒体。